(57)【要約】【課題】大掛かりな作業を伴うことなく、壁の外観を改善することが可能な壁補修方法を提供すること。【解決手段】壁本体（１０）と、アルミ板（３０）と、を有する壁（１）を補修する方法であって、アルミ板（３０）のうち壁本体（１０）から外側に浮き上がった浮き上がり部及び壁本体（１０）に対して、浮き上がり部が壁本体（１０）の外面に沿う形状となるように浮き上がり部を貫通した状態で浮き上がり部を壁本体（１０）に向けて押し付けながら固定する固定具（５０）を取り付ける固定具取付工程と、少なくともアルミ板（３０）の外面に塗装する塗装工程と、を含むこと。【選択図】図８
2018048447.tif 000002
【特許請求の範囲】
【請求項１】
壁本体と、前記壁本体の外側に取り付けられたアルミニウムないしアルミニウム合金からなるアルミ板と、を有する壁を補修する方法であって、
前記アルミ板のうち前記壁本体から外側に浮き上がった浮き上がり部及び前記壁本体に対して前記浮き上がり部を貫通した状態で固定具を取り付け、これにより前記浮き上がり部が前記壁本体の外面に沿う形状となるように当該浮き上がり部を前記壁本体に向けて押し付けながら固定する固定具取付工程と、
少なくとも前記アルミ板の外面に塗装する塗装工程と、を含む、壁補修方法。
【請求項２】
請求項１に記載の壁補修方法において、
前記固定具取付工程の前に、前記固定具を取り付けるための穴を前記浮き上がり部及び前記壁本体に形成する穴形成工程と、
前記固定具取付工程の前に、前記壁本体のうち前記穴を包囲する包囲部に接着剤を供給する接着剤供給工程と、をさらに含む、壁補修方法。
【請求項３】
請求項２に記載の壁補修方法において、
前記固定具取付工程では、前記固定具として、前記穴の直径よりも小さな外径を有する筒部と、前記筒部の基端部から当該筒部の径方向の外向きに張り出すとともに前記穴の直径よりも大きな外形を有する押付部と、を有するブラインドリベットを用い、前記押付部によって前記浮き上がり部が前記壁本体に押し付けられかつ前記筒部が前記穴に挿入された状態で前記筒部の先端部が前記穴の直径よりも大きな外形となるように前記筒部の先端部を塑性変形させることによって前記固定具を前記壁本体に取り付ける、壁補修方法。
【請求項４】
請求項３に記載の壁補修方法において、
前記固定具取付工程の後でかつ前記塗装工程の前に、前記筒部内に形成される空間を埋めることが可能な埋め剤で少なくとも前記空間を埋める埋め工程をさらに含み、
前記塗装工程では、前記アルミ板の外面及び前記埋め剤の外面が塗装される、壁補修方法。
【請求項５】
請求項４に記載の壁補修方法において、
前記埋め工程では、前記リベット本体の前記押付部を覆うように前記埋め剤が均しながら供給され、
前記塗装工程では、前記アルミ板の外面及び前記埋め剤の外面が塗装される、壁補修方法。
【発明の詳細な説明】
【技術分野】
【０００１】
本発明は、建物の壁の補修方法に関するものである。
【背景技術】
【０００２】
従来、特許文献１に見られるように、建物の外壁やバルコニー壁等の壁として、アルミ板（アルミニウムないしアルミニウム合金からなる平板状の部材）を備えるものが知られている。アルミ板の外面には、塗装が施されている。このような壁は、アルミ板の内側に壁本体が設けられており、壁本体とアルミ板とが接着剤によって接着されていることが多い。
【先行技術文献】
【特許文献】
【０００３】
【特許文献１】特開昭６２−２１６６７６号公報
【発明の概要】
【発明が解決しようとする課題】
【０００４】
特許文献１に記載されるような壁では、経年劣化により接着剤の接着力が低下し、アルミ板が熱膨張したときにアルミ板が部分的に壁本体から浮き上がる場合がある。この場合、壁の外観が悪化する懸念がある。
【０００５】
そこで、壁本体から浮き上がった部位を含むアルミ板を除去し、新しいアルミ板を接着剤によって壁本体の外側に取り付けることが考えられるが、この作業は非常に大がかりなものとなる。
【０００６】
本発明の目的は、大掛かりな作業を伴うことなく、壁の外観を改善することが可能な壁補修方法を提供することである。
【課題を解決するための手段】
【０００７】
前記課題を解決するための手段として、本発明は、壁本体と、前記壁本体の外側に取り付けられたアルミニウムないしアルミニウム合金からなるアルミ板と、を有する壁を補修する方法であって、前記アルミ板のうち前記壁本体から外側に浮き上がった浮き上がり部及び前記壁本体に対して前記浮き上がり部を貫通した状態で固定具を取り付け、これにより前記浮き上がり部が前記壁本体の外面に沿う形状となるように当該浮き上がり部を前記壁本体に向けて押し付けながら固定する固定具取付工程と、少なくとも前記アルミ板の外面に塗装する塗装工程と、を含む、壁補修方法を提供する。
【０００８】
本壁補修方法では、固定具取付工程において、アルミ板の浮き上がり部が壁本体の外面に沿う形状となるように固定具が取り付けられ、その後、アルミ板の外面が塗装されるので、大掛かりな作業を伴うことなく壁の外観が改善される。
【０００９】
この場合において、前記固定具取付工程の前に、前記固定具を取り付けるための穴を前記浮き上がり部及び前記壁本体に形成する穴形成工程と、前記固定具取付工程の前に、前記壁本体のうち前記穴を包囲する包囲部に接着剤を供給する接着剤供給工程と、をさらに含むことが好ましい。
【００１０】
このようにすれば、浮き上がり部及び壁本体に対する固定具の取り付けが容易となり、また、接着剤により壁本体の包囲部の剛性が高まるので、固定具の壁本体への接続強度が高まる。さらに、包囲部の外面に存在する接着剤によって浮き上がり部が壁本体に強固にしかも安定的に固定される。
【００１１】
具体的に、前記固定具取付工程では、前記固定具として、前記穴の直径よりも小さな外径を有する筒部と、前記筒部の基端部から当該筒部の径方向の外向きに張り出すとともに前記穴の直径よりも大きな外形を有する押付部と、を有するブラインドリベットを用い、前記押付部によって前記浮き上がり部が前記壁本体に押し付けられかつ前記筒部が前記穴に挿入された状態で前記筒部の先端部が前記穴の直径よりも大きな外形となるように前記筒部の先端部を塑性変形させることによって前記固定具を前記壁本体に取り付けることが好ましい。
【００１２】
このようにすれば、固定具の壁への接続強度がより確実に確保される。具体的に、ブラインドリベットの筒部の先端部は、壁本体の穴の直径よりも大きな外形となるまで塑性変形するので、壁本体に形成する穴の直径を小さくしつつ固定具の接続強度を有効に確保することができる。
【００１３】
また、前記壁補修方法において、前記固定具取付工程の後でかつ前記塗装工程の前に、前記筒部内に形成される空間を埋めることが可能な埋め剤で少なくとも前記空間を埋める埋め工程をさらに含み、前記塗装工程では、前記アルミ板の外面及び前記埋め剤の外面が塗装されることが好ましい。
【００１４】
このようにすれば、塗装工程における塗装が容易になり、さらに、外観に優れる。
【００１５】
さらに、前記壁補修方法において、前記埋め工程では、前記リベット本体の前記押付部を覆うように前記埋め剤が均しながら供給され、前記塗装工程では、前記アルミ板の外面及び前記埋め剤の外面が塗装されることが好ましい。
【００１６】
このようにすれば、筒部内の空間のみが埋め剤で埋められる場合に比べて固定具が目立たなくなるので、塗装工程後の壁の外観がさらに改善される。
【発明の効果】
【００１７】
以上のように、本発明によれば、大掛かりな作業を伴うことなく、壁の外観を改善することが可能な壁補修方法を提供することができる。
【図面の簡単な説明】
【００１８】
【図１】壁本体からアルミ板の一部が浮き上がった状態の壁を示す断面図である。
【図２】穴形成工程後の状態の壁を示す断面図である。
【図３】接着剤供給工程後の状態の壁を示す断面図である。
【図４】固定具（ブラインドリベット）の側面図である。
【図５】固定具（ブラインドリベット）の断面図である。
【図６】取付工具を示す図である。
【図７】固定具取付工程後の状態の壁を示す断面図である。
【図８】埋め工程及び塗装工程後の状態の壁を示す断面図である。
【発明を実施するための形態】
【００１９】
本発明の一実施形態の壁補修方法について、図１〜図８を参照しながら説明する。なお、「壁」には、建物の外壁や、バルコニー壁や、互いに隣接するバルコニー間を区切るパーティション壁や、庇先端面のような内部閉鎖仕切壁等が含まれる。
【００２０】
壁１は、壁本体１０と、壁本体１０の外側に取り付けられたアルミ板３０と、を有している。
【００２１】
本実施形態では、壁本体１０は、内側ボード１１と、内側ボード１１の外側に配置された断熱材１２と、断熱材１２の外側に配置された外側ボード１３と、を有している。内側ボード１１及び外側ボード１３は、それぞれ木質系の材料で構成されたいわゆるハードボードである。各ボード１１，１３の厚みは、例えば３．５ｍｍである。
【００２２】
アルミ板３０は、アルミニウムないしアルミニウム合金からなる。アルミ板３０は、接着剤２０によって壁本体１０の外側ボード１３に固定（接着）されている。アルミ板３０の厚みは、例えば０．２９ｍｍである。アルミ板３０の外面には、塗装によって塗膜４０が形成されている。
【００２３】
ここで、図１には、アルミ板３０の一部が壁本体１０から浮き上がった状態が示されている。以下、アルミ板３０のうち壁本体１０から浮き上がった部位を「浮き上がり部３２」と称する。この浮き上がり部３２は、経年劣化による接着剤２０の接着力の低下等が原因でアルミ板３０が熱膨張したときに生じる。本実施形態の壁補修方法は、浮き上がり部３２に起因する壁１の外観の悪化を改善するものである。具体的に、本壁補修方法は、図４及び図５に示される固定具５０で浮き上がり部３２を壁本体１０に向けて押し付けることによってアルミ板３０の浮き上がりを解消する。より詳細には、壁補修方法は、穴形成工程と、接着剤供給工程と、固定具取付工程と、埋め工程と、塗装工程と、を備えている。
【００２４】
穴形成工程は、キリ等によって浮き上がり部３２及び壁本体１０に固定具５０を取り付けるための穴ｈを形成する工程である。図２には、穴形成工程後の状態が示されている。具体的に、この穴形成工程では、外側ボード１３を貫通する深さの穴ｈが形成される。
【００２５】
接着剤供給工程は、壁本体１０のうち穴ｈを包囲する包囲部１４に接着剤Ａを供給する工程である。図３は、接着剤供給工程後の状態が示されている。この接着剤供給工程では、包囲部１４の外面にも接着剤Ａが存在するように接着剤Ａが供給される。本実施形態では、外側ボード１３は木質系の材料で構成されているので、外側ボード１３のうち穴ｈを囲む内周面ないしその近傍の部位に接着剤Ａが供給されることにより、接着剤Ａは包囲部１４に含浸する。そして、接着剤Ａが固まることにより、包囲部１４の剛性が外側ボード１３のうち包囲部１４以外の部位の剛性よりも高くなる。
【００２６】
固定具取付工程では、浮き上がり部３２及び壁本体１０に対して、浮き上がり部３２が壁本体１０の外側ボード１３の外面に沿う形状となるように浮き上がり部３２を貫通した状態で当該浮き上がり部３２を壁本体１０に向けて押し付けながら固定する固定具５０を取り付ける。本実施形態では、固定具５０として、いわゆるブラインドリベットが用いられる。具体的に、固定具５０は、リベット本体５１と、シャフト５５と、を有している。
【００２７】
リベット本体５１は、穴ｈの直径よりも小さな外径を有する円筒状の筒部５２と、筒部５２の基端部５２ａから当該筒部５２の径方向の外向きに張り出すとともに穴ｈの直径よりも大きな外形を有する押付部５３と、を有する。
【００２８】
シャフト５５は、筒部５２の内径よりも小さな外径を有する軸部５６と、軸部５６の先端に接続された玉部５７と、を有する。玉部５７は、穴ｈの直径よりも小さくかつ筒部５２の内径よりも大きな外形を有するとともに、軸部５６の筒部５２からの引き抜き時に筒部５２の先端部５２ｂを塑性変形させることが可能な剛性を有する。
【００２９】
固定具取付工程では、図６に示される取付工具Ｔによって固定具５０（ブラインドリベット）が取り付けられる。なお、図６は、取付工具Ｔの例を示すものであり、取付工具Ｔはこれに限られない。具体的に、固定具取付工程では、まず、玉部５７を先頭にして固定具５０が穴ｈに挿入される。この状態で、押付部５３によって浮き上がり部３２が壁本体１０に押し付けられている。そして、筒部５２の先端部５２ｂが外側ボード１３の内面よりも内側に位置する状態で取付工具Ｔによって軸部５６が外側に引き抜かれる。そうすると、玉部５７がリベット本体５１に対して外向きに相対変位し、これにより筒部５２の先端部５２ｂが穴ｈの直径よりも大きな外形となるように塑性変形する。筒部５２のうち塑性変形した部位は、包囲部１４の内面に当接している。この状態で、押付部５３は、浮き上がり部３２を外側ボード１３の外面に押し付けている。換言すれば、固定具５０は、前記塑性変形した部位と押付部５３とによって浮き上がり部３２及び包囲部１４を外側ボード１３の厚さ方向の両側から挟持している。これにより、浮き上がり部３２は外側ボード１３の外面に沿う形状となる。その後、取付工具Ｔによって軸部５６の引き抜きを継続することにより、軸部５６が破断する。軸部５６の破断面は、筒部５２内に形成される。このときの状態が図７に示されている。つまり、固定具取付工程後、筒部５２内には空間Ｓが形成される。
【００３０】
この固定具取付工程では、まず、アルミ板３０のうち外側ボード１３の外面に沿うように外側ボード１３に正常に接着されている部位と浮き上がり部３２と境界近傍に固定具５０が取り付けられ（打ち込まれ）、その後、浮き上がり部３２に固定具５０が取り付けられることが好ましい。このようにすれば、先に浮き上がり部３２に固定具５０が取り付けられることによって当該浮き上がり部３２への固定具５０の取り付けに起因してアルミ板３０のうち浮き上がり部３２の周囲の正常な部位が外側ボード１３から浮き上がることが抑制される。
【００３１】
埋め工程は、固定具取付工程で形成された筒部５２内の空間Ｓをパテ等の埋め剤Ｐで埋める工程である。埋め工程では、図８に示されるように、空間Ｓ及び押付部５３を覆うように埋め剤Ｐが均しながら供給される。なお、埋め剤Ｐの直径が押付部５３の直径の２倍以上となるように埋め剤Ｐが均しながら供給されることが好ましい。
【００３２】
塗装工程は、アルミ板３０の外面及び埋め剤Ｐの外面に塗装によって塗膜６０を形成する工程である。
【００３３】
これらの工程を経ることにより、壁１の補修が完了する。
【００３４】
以上に説明したように、本実施形態の壁補修方法では、固定具取付工程において、アルミ板３０の浮き上がり部３２が壁本体１０の外面に沿う形状となるように固定具５０が取り付けられ、その後、アルミ板３０の外面が塗装されるので、大掛かりな作業を伴うことなく壁１の外観が改善される。
【００３５】
また、上記実施形態では、固定具取付工程の前に、穴形成工程及び接着剤供給工程を有するので、浮き上がり部３２及び壁本体１０に対する固定具５０の取り付けが容易となり、また、接着剤Ａにより外側ボード１３の包囲部１４の剛性が高まるので、固定具５０の壁本体１０への接続強度が高まる。さらに、包囲部１４の外面に存在する接着剤Ａによって浮き上がり部３２が外側ボード１３に強固に固定される。
【００３６】
さらに、上記実施形態では、固定具取付工程の後でかつ塗装工程の前に、リベット本体５１の押付部５３を覆うように埋め剤Ｐが均しながら供給され、その後の塗装工程において、アルミ板３０の外面及び埋め剤Ｐの外面に塗膜６０が形成される。よって、筒部５２内の空間Ｓのみが埋め剤Ｐで埋められる場合に比べて固定具５０が目立たなくなるので、塗装工程後の壁１の外観がさらに改善される。
【００３７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００３８】
例えば、固定具取付工程では、固定具５０としては、ブラインドリベットでなく、ねじが用いられてもよい。この場合であっても、浮き上がり部３２は壁本体１０の外面に沿う形状となる。すなわち、ねじの外側ボード１３へのねじ込みに伴ってねじの頭部が浮き上がり部３２を壁本体１０に向けて押し付ける。よって、ねじの取り付けの完了により浮き上がり部３２が外側ボード１３の外面に沿う形状となる。ただし、上記実施形態のように、固定具５０としてブラインドリベットが用いられることにより、固定具５０としてねじが用いられる場合に比べ、壁本体１０に形成する穴ｈの直径を小さくしつつ固定具５０の接続強度を有効に確保することができる。
【符号の説明】
【００３９】
１    壁（外壁）
１０    壁本体
２０    接着剤
３０    アルミ板
３２    浮き上がり部
４０    塗膜
５０    固定具（ブラインドリベット）
５１    リベット本体
５２    筒部
５３    押付部
５５    シャフト
５６    軸部
５７    玉部
６０    塗膜
Ａ    接着剤
Ｐ    埋め剤（パテ）
Ｓ    空間
Ｔ    取付工具
【図１】
2018048447.tif 000003
【図２】
2018048447.tif 000004
【図３】
2018048447.tif 000005
【図４】
2018048447.tif 000006
【図５】
2018048447.tif 000007
【図６】
2018048447.tif 000008
【図７】
2018048447.tif 000009
【図８】
2018048447.tif 000010
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
壁本体と、前記壁本体の外側に取り付けられたアルミニウムないしアルミニウム合金からなるアルミ板と、を有する壁を補修する方法であって、
前記アルミ板のうち前記壁本体から外側に浮き上がった浮き上がり部及び前記壁本体に対して前記浮き上がり部を貫通した状態で固定具を取り付け、これにより前記浮き上がり部が前記壁本体の外面に沿う形状となるように当該浮き上がり部を前記壁本体に向けて押し付けながら固定する固定具取付工程と、
少なくとも前記アルミ板の外面に塗装する塗装工程と、
前記固定具取付工程の前に、前記固定具を取り付けるための穴を前記浮き上がり部及び前記壁本体に形成する穴形成工程と、
前記固定具取付工程の前に、前記壁本体のうち前記穴を包囲する包囲部に接着剤を供給する接着剤供給工程と、を含み、
前記固定具取付工程では、前記固定具として、前記穴の直径よりも小さな外径を有する筒部と、前記筒部の基端部から当該筒部の径方向の外向きに張り出すとともに前記穴の直径よりも大きな外形を有する押付部と、を有するブラインドリベットを用い、前記押付部によって前記浮き上がり部が前記壁本体に押し付けられかつ前記筒部が前記穴に挿入された状態で前記筒部の先端部が前記穴の直径よりも大きな外形となるように前記筒部の先端部を塑性変形させることによって前記固定具を前記壁本体に取り付ける、壁補修方法。
【請求項２】
請求項１に記載の壁補修方法において、
前記固定具取付工程の後でかつ前記塗装工程の前に、前記筒部内に形成される空間を埋めることが可能な埋め剤で少なくとも前記空間を埋める埋め工程をさらに含み、
前記塗装工程では、前記アルミ板の外面及び前記埋め剤の外面が塗装される、壁補修方法。
【請求項３】
請求項２に記載の壁補修方法において、
前記埋め工程では、前記リベット本体の前記押付部を覆うように前記埋め剤が均しながら供給され、
前記塗装工程では、前記アルミ板の外面及び前記埋め剤の外面が塗装される、壁補修方法。